(57)【要約】    【課題】      ユーザに本当に合ったコミュニティグループを探すことができ、かつ、コミュニティグループの参加期間を適切に制御することができる携帯端末装置、コミュニティ形成方法及び記録媒体を提供すること。    【解決手段】  携帯電話端末１０が、電子チケットサービスから取得した電子チケット情報から獲得するユーザ状況情報が変更（追加、削除、変更）されたとき、コミュニティグループ参加制御部１００は、コミュニティグループの参加（入会、退会）をコミュニティサービスを提供するコミュニティ管理装置に対して自動的に行う。  【選択図】      図２
2007072529.tif 000002
【特許請求の範囲】
【請求項１】
通信ネットワークを介してコミュニティ管理装置と通信を行う通信手段と、
ユーザ状況情報を獲得するユーザ状況情報獲得手段と、
前記獲得したユーザ状況情報を記憶するユーザ状況情報記憶手段と、
前記ユーザ状況情報記憶手段に記憶されているユーザ状況情報が変更（追加、削除、変更）されたとき、前記通信手段により前記コミュニティ管理装置と通信を行ってコミュニティグループへの参加（入会、退会）を制御するコミュニティグループ参加制御手段と、
を具備することを特徴とする携帯端末装置。
【請求項２】
電子チケット情報を記憶する電子チケット情報記憶手段と、
前記電子チケット情報を管理する電子チケット情報管理手段と、を具備し、
前記ユーザ状況情報獲得手段は、前記電子チケット情報記憶手段に記憶されている電子チケット情報をユーザ状況情報として獲得し、
前記コミュニティグループ参加制御手段は、前記獲得されたユーザ状況情報に対応するコミュニティグループを前記通信手段を介して前記コミュニティ管理装置から検索することを特徴とする請求項１記載の携帯端末装置。
【請求項３】
電子個人情報を記憶する電子個人情報記憶手段と、
前記電子個人情報を管理する電子個人情報管理手段と、を具備し、
前記ユーザ状況情報獲得手段は、前記電子個人情報記憶手段に記憶されている電子個人情報をユーザ状況情報として獲得し、
前記コミュニティグループ参加制御手段は、前記獲得されたユーザ状況情報に対応するコミュニティグループを前記通信手段を介して前記コミュニティ管理装置から検索することを特徴とする請求項１記載の携帯端末装置。
【請求項４】
通信ネットワークを介してコミュニティ管理装置と通信を行う通信工程と、
ユーザ状況情報を獲得するユーザ状況情報獲得工程と、
前記獲得したユーザ状況情報をユーザ状況情報記憶手段に記憶するユーザ状況情報記憶工程と、
前記ユーザ状況情報記憶手段に記憶されているユーザ状況情報が変更（追加、削除、変更）されたとき、前記通信工程により前記コミュニティ管理装置と通信を行ってコミュニティグループへの参加（入会、退会）を制御するコミュニティグループ参加制御工程と、
を有することを特徴とするコミュニティ形成方法。
【請求項５】
電子チケット情報を電子チケット情報記憶手段に記憶する電子チケット情報記憶工程を有し、
前記ユーザ状況情報獲得工程では、前記電子チケット情報記憶手段に記憶されている電子チケット情報をユーザ状況情報として獲得し、
前記コミュニティグループ参加制御工程では、前記獲得されたユーザ状況情報に対応するコミュニティグループを前記通信工程により前記コミュニティ管理装置から検索することを特徴とする請求項４記載のコミュニティ形成方法。
【請求項６】
電子個人情報を電子個人情報記憶手段に記憶する電子個人情報記憶工程を有し、
前記ユーザ状況情報獲得工程では、前記電子個人情報記憶手段に記憶されている電子個人情報をユーザ状況情報として獲得し、
前記コミュニティグループ参加制御工程では、前記獲得されたユーザ状況情報に対応するコミュニティグループを前記通信工程により前記コミュニティ管理装置から検索することを特徴とする請求項４記載のコミュニティ形成方法。
【請求項７】
コンピュータに、
通信ネットワークを介してコミュニティ管理装置と通信を行う通信ステップと、
ユーザ状況情報を獲得するユーザ状況情報獲得ステップと、
前記獲得したユーザ状況情報をユーザ状況情報記憶手段に記憶するユーザ状況情報記憶ステップと、
前記ユーザ状況情報記憶手段に記憶されているユーザ状況情報が変更（追加、削除、変更）されたとき、前記通信手段により前記コミュニティ管理装置と通信を行ってコミュニティグループへの参加（入会、退会）を制御するコミュニティグループ参加制御ステップと、を実行させるためのプログラムを記録したコンピュータ読み取り可能な記録媒体。
【発明の詳細な説明】
【技術分野】
【０００１】
本発明は、携帯端末装置、コミュニティ形成方法及び記録媒体に関し、特に、ネットワークを介してユーザ同士でコミュニティを形成する携帯端末装置、コミュニティ形成方法及び記録媒体に関する。
【背景技術】
【０００２】
近時、インターネットの普及に伴い、インターネット上で、あるテーマに興味を持つユーザ同士がグループを形成し（以下、コミュニティグループという）、同じコミュニティグループに参加するユーザ間で情報を共有することができるサービス（以下、コミュニティサービスという）が活況を呈している。コミュニティサービスには、例えば、チャットサービス、電子掲示板サービス（ＢＢＳ）、メーリングリストや、ソーシャル・ネットワーク・サービス（ＳＮＳ）等がある。また、コミュニティグループには、チャットサービスのチャットルーム、電子掲示板サービスのスレッド、メーリングリストサービスのメーリングリストや、ソーシャル・ネットワーク・サービスのコミュニティ等がある。
【０００３】
コミュニティサービスは、以下のような手順で提供される。
【０００４】
（１）コミュニティグループの作成
コミュニティグループは興味等の項目で分類され、コミュニティサービスを管理する装置（以下、コミュニティ管理装置という）に登録される。ユーザは、コミュニティ管理装置にアクセスし、新規にコミュニティグループを作成することができる。
【０００５】
（２）コミュニティグループの検索
ユーザは、コミュニティ管理装置にアクセスし、登録されているコミュニティグループの中から自分の興味等にあったコミュニティグループを検索する。
【０００６】
（３）コミュニティグループの入会
ユーザは、検索の結果、自分の興味に合った複数のコミュニティグループが見つかった場合は、各コミュニティグループに参加するか否かを判断し、あるコミュニティグループに参加すると判断した場合、コミュニティ管理装置にアクセスして入会手続きを行う。
【０００７】
（４）情報の共有（配信）
ユーザは、コミュニティグループに参加している間は、そのコミュニティグループに参加しているユーザ同士で情報を共有することができる。
【０００８】
（５）コミュニティグループの退会
ユーザは、入会しているコミュニティグループに興味が無くなった場合、コミュニティ管理装置にアクセスして退会手続きを行う。
【０００９】
また、コミュニティグループの形成を支援する技術が、例えば、特許文献１に記載されている。この特許文献１に記載されたコミュニティ形成支援方法では、クライアント端末はユーザの状況を表すユーザ状況情報（ユーザの位置、行動、興味等を表す情報が含まれる）をサーバ装置に送信し、サーバ装置は複数のコミュニティ情報を保持し、クライアント端末からユーザ状況情報を受信すると、コミュニティ情報の中からユーザ状況情報に適したコミュニティ情報をクライアント端末に送信して、クライアント端末ユーザのコミュニティグループへの参加を支援している。
【００１０】
コミュニティサービスの更なる普及に伴い、コミュニティグループの数は今後ますます増加することが予想される。よって、クライアント端末として、携帯電話等の携帯通信端末装置を想定した場合、ユーザの負担として、例えば、小型の画面を見ながら、膨大な数のコミュニティグループの中から自分に合ったコミュニティグループを探すこと等を軽減する為には、上記特許文献１のように、ユーザ状況情報に基づいて自動的にコミュニティグループを探して作成することが重要になってくる。
【特許文献１】特開２００１−２４９８７７号公報
【発明の開示】
【発明が解決しようとする課題】
【００１１】
しかしながら、クライアント端末として、携帯電話等の携帯通信端末装置を想定した場合は、更に、バッテリ容量や小型画面といった機能的な制約があり、この機能的観点から、各コミュニティグループの参加期間（入会と退会のタイミング）を適切に制御することが重要になる。
【００１２】
例えば、メーリングリストサービスの場合、各コミュニティグループの参加期間（入会と退会のタイミング）を適切に制御せずに、多くのコミュニティグループ（メーリングリスト）に参加してしまうと、膨大な数の電子メールを受信してしまい、バッテリが急激に消費されてしまう。
【００１３】
また、掲示板サービスの場合、多くのコミュニティグループ（スレッド）に参加してしまうと、小型画面を見ながら膨大な数の書き込み（情報）から必要な情報を探さなければならず、その結果、ユーザの手間が非常にかかってしまう。
【００１４】
これらのような携帯通信端末装置の機能的制約に基づいて発生する問題に対して、上記特許文献１に開示された技術では解決することができない。
【００１５】
また、上記特許文献１では、自分に合ったコミュニティグループを探す為に用いられるユーザ状況情報の自動取得方法として、具体的に「ＧＰＳ（Ｇｌｏｂａｌ Ｐｏｓｉｔｉｏｎｉｎｇ Ｓｙｓｔｅｍ）等の位置情報から取得する方法」、「センサの検出信号から取得する方法」が開示されている。しかし、これらの取得方法で取得したユーザ状況情報では、今後の増大する膨大な数のコミュニティグループの中から自分に本当に合ったコミュニティグループを探すことは困難である。
【００１６】
本発明はかかる点に鑑みてなされたものであり、ユーザに本当に合ったコミュニティグループを探すことができ、かつ、コミュニティグループの参加期間を適切に制御することができる携帯端末装置、コミュニティ形成方法及び記録媒体を提供することを目的とする。
【課題を解決するための手段】
【００１７】
本発明の携帯端末装置は、通信ネットワークを介してコミュニティ管理装置と通信を行う通信手段と、ユーザ状況情報を獲得するユーザ状況情報獲得手段と、前記獲得したユーザ状況情報を記憶するユーザ状況情報記憶手段と、前記ユーザ状況情報記憶手段に記憶されているユーザ状況情報が変更（追加、削除、変更）されたとき、前記通信手段により前記コミュニティ管理装置と通信を行ってコミュニティグループへの参加（入会、退会）を制御するコミュニティグループ参加制御手段と、を具備する構成を採る。
【００１８】
この構成によれば、ユーザのコミュニティグループに対する参加期間を適切に制御することができる。
【００１９】
また、本発明の携帯端末装置は、請求項１記載の携帯端末装置において、電子チケット情報を記憶する電子チケット情報記憶手段と、前記電子チケット情報を管理する電子チケット情報管理手段と、を具備し、前記ユーザ状況情報獲得手段は、前記電子チケット情報記憶手段に記憶されている電子チケット情報をユーザ状況情報として獲得し、前記コミュニティグループ参加制御手段は、前記獲得されたユーザ状況情報に対応するコミュニティグループを前記通信手段を介して前記コミュニティ管理装置から検索する構成を採る。
【００２０】
この構成によれば、ユーザに本当に合ったコミュニティグループを選択することができる。
【００２１】
また、本発明の携帯端末装置は、請求項１記載の携帯端末装置において、電子個人情報を記憶する電子個人情報記憶手段と、前記電子個人情報を管理する電子個人情報管理手段と、を具備し、前記ユーザ状況情報獲得手段は、前記電子個人情報記憶手段に記憶されている電子個人情報をユーザ状況情報として獲得し、前記コミュニティグループ参加制御手段は、前記獲得されたユーザ状況情報に対応するコミュニティグループを前記通信手段を介して前記コミュニティ管理装置から検索する構成を採る。
【００２２】
この構成によれば、ユーザに本当に合ったコミュニティグループを選択することができる。
【００２３】
また、本発明のコミュニティ形成方法は、通信ネットワークを介してコミュニティ管理装置と通信を行う通信工程と、ユーザ状況情報を獲得するユーザ状況情報獲得工程と、前記獲得したユーザ状況情報をユーザ状況情報記憶手段に記憶するユーザ状況情報記憶工程と、前記ユーザ状況情報記憶手段に記憶されているユーザ状況情報が変更（追加、削除、変更）されたとき、前記通信工程により前記コミュニティ管理装置と通信を行ってコミュニティグループへの参加（入会、退会）を制御するコミュニティグループ参加制御工程と、有する方法を採る。
【００２４】
この方法によれば、ユーザのコミュニティグループに対する参加期間を適切に制御することができる。
【００２５】
また、本発明のコミュニティ形成方法は、請求項４記載のコミュニティ形成方法において、電子チケット情報を電子チケット情報記憶手段に記憶する電子チケット情報記憶工程を有し、前記ユーザ状況情報獲得工程では、前記電子チケット情報記憶手段に記憶されている電子チケット情報をユーザ状況情報として獲得し、前記コミュニティグループ参加制御工程では、前記獲得されたユーザ状況情報に対応するコミュニティグループを前記通信工程により前記コミュニティ管理装置から検索する方法を採る。
【００２６】
この方法によれば、ユーザに本当に合ったコミュニティグループを選択することができる。
【００２７】
また、本発明のコミュニティ形成方法は、請求項４記載のコミュニティ形成方法において、電子個人情報を電子個人情報記憶手段に記憶する電子個人情報記憶工程を有し、前記ユーザ状況情報獲得工程では、前記電子個人情報記憶手段に記憶されている電子個人情報をユーザ状況情報として獲得し、前記コミュニティグループ参加制御工程では、前記獲得されたユーザ状況情報に対応するコミュニティグループを前記通信工程により前記コミュニティ管理装置から検索する方法を採る。
【００２８】
この方法によれば、ユーザに本当に合ったコミュニティグループを選択することができる。
【００２９】
また、本発明の記録媒体は、コンピュータに、通信ネットワークを介してコミュニティ管理装置と通信を行う通信ステップと、ユーザ状況情報を獲得するユーザ状況情報獲得ステップと、前記獲得したユーザ状況情報をユーザ状況情報記憶手段に記憶するユーザ状況情報記憶ステップと、前記ユーザ状況情報記憶手段に記憶されているユーザ状況情報が変更（追加、削除、変更）されたとき、前記通信手段により前記コミュニティ管理装置と通信を行ってコミュニティグループへの参加（入会、退会）を制御するコミュニティグループ参加制御ステップと、を実行させるためのプログラムを記録したコンピュータ読み取り可能な記録媒体である。
【００３０】
この記録媒体によれば、ユーザのコミュニティグループに対する参加期間を適切に制御する機能をコンピュータで実行することができる。
【発明の効果】
【００３１】
本発明によれば、ユーザに本当に合ったコミュニティグループを探すことができ、かつ、ユーザのコミュニティグループに対する参加期間を適切に制御することができる。
【発明を実施するための最良の形態】
【００３２】
以下、本発明の実施の形態について図面を参照して詳細に説明する。
【００３３】
（実施の形態１）
図１は、本実施の形態１に適用するネットワークシステムのシステム構成を示す図である。図１において、ネットワークシステム１は、携帯電話網等のネットワーク４０に接続される携帯電話端末１０，１１と、コミュニティ管理装置２０と、チケット管理装置３０と、チケット確認装置３１と、から構成される。
【００３４】
このネットワークシステム１では、図中の細かい破線で囲む部分は、コミュニティ管理装置２０がネットワーク４０を介して携帯電話端末１０，１１にコミュニティサービスを提供するエリアを示している。このコミュニティサービスエリアでは、携帯電話端末１０，１１は、公知のコミュニティサービスとして、ソーシャル・ネットワーク・サービス、電子掲示板サービス等を受けることができる。
【００３５】
また、図中の荒い破線で囲む部分は、チケット管理装置３０とチケット確認装置３１がネットワーク４０を介して携帯電話端末１０に電子チケットサービスを提供するエリアを示している。この電子チケットサービスエリアでは、携帯電話端末１０は、公知の電子チケットサービスとして、コンサートチケット等の電子チケット情報を受信して保存し、その電子チケット情報によりチケット確認装置３１にアクセスして利用するサービス等を受けることができる。
【００３６】
なお、図１のネットワークシステム１では、２台の携帯電話端末１０，１１が接続されている場合を示したが、これらの接続台数は特に限定するものではない。
【００３７】
コミュニティ管理装置２０は、コミュニティサービス（ソーシャル・ネットワーク・サービス、電子掲示板サービス等）を管理する公知のサーバ装置等であり、ネットワーク４０を介して携帯電話端末１０，１１に対してコミュニティサービスを提供する。コミュニティ管理装置２０は、具体的に「コミュニティグループの作成」、「コミュニティグループの検索」、「コミュニティグループの入会」、「情報の共有」、「コミュニティグループの退会」を管理する。
【００３８】
チケット管理装置３０は、電子チケットサービスを管理する公知のサーバ装置等であり、ネットワーク４０を介して携帯電話端末１０に対して電子チケットサービス（電子チケット情報の提供等）を提供する。チケット管理装置３０は、ネットワーク４０を介してチケット確認装置３１と通信が可能であり、電子チケット情報の使用に際して、チケット確認装置３１との間で電子チケット情報の使用に必要な情報を送受信する。
【００３９】
チケット確認装置３１は、電子チケット情報の使用を管理するコンサート会場、スポーツ競技場やテーマパーク等に設置されるゲート装置等であり、直接、携帯電話端末１０に対して電子チケット情報の使用サービスを提供する。チケット確認装置３１は、ネットワーク４０を介してチケット管理装置３０と通信が可能であり、電子チケット情報の使用に際して、チケット管理装置３０との間で電子チケット情報の使用に必要な情報を送受信する。
【００４０】
携帯電話端末１０，１１は、ネットワーク４０を介して携帯電話端末との間で通話を行う機能と、ネットワーク４０を介してコミュニティ管理装置２０からコミュニティサービスを受ける機能と、ネットワーク４０を介してチケット管理装置３０から、及びチケット確認装置３１から直接電子チケットサービスを受ける機能と、を有する。
【００４１】
図２は、携帯電話端末１０の概略構成を示すブロック図である。なお、携帯電話端末１１も同様の構成を具備する。図２において、携帯電話端末１０は、コミュニティグループ参加制御部１００と、ユーザ状況情報記憶部１０１と、ユーザ状況情報獲得部１０２と、制御部１１０と、携帯無線通信部１１１と、無線通信部１１２と、表示部１１３と、キー入力部１１４と、音声入力部１１５と、音声出力部１１６と、電子チケット情報記憶部１２０と、電子チケット情報管理部１２１と、から構成される。
【００４２】
コミュニティグループ参加制御部１００は、コミュニティグループの参加（入会、退会）を制御する。ユーザ状況情報記憶部１０１は、ユーザ状況情報獲得部１０２で獲得したユーザ状況情報を記憶する。ユーザ状況情報獲得部１０２は、電子チケット情報記憶部１２０に記憶されている電子チケット情報をユーザ状況情報として獲得する。
【００４３】
コミュニティグループ参加制御部１００と、ユーザ状況情報記憶部１０１と、ユーザ状況情報獲得部１０２は、コミュニティサービスに対応する構成である。
【００４４】
電子チケット情報記憶部１２０は、電子チケット情報管理部１２１で管理される電子チケット情報を記憶する。電子チケット情報管理部１２１は、電子チケット情報を管理する。電子チケット情報記憶部１２０と、電子チケット情報管理部１２１は、電子チケットサービスに対応する構成である。
【００４５】
制御部１１０は、図示しないＣＰＵ（Central Processing Unit ）、ＲＯＭ（Read Only Memory）及びＲＡＭ（Random Access Memory）等から構成され、ＲＯＭに記憶された携帯通信プログラムに基づいて携帯無線通信部１１１を制御して、通話要求やデータ通信要求をネットワーク４０に送信する携帯通信手順や、呼接続後の通話やデータ通信に応じた携帯通信手順を制御する。
【００４６】
また、制御部１１０は、電子チケット情報管理部１２１、ユーザ状況情報獲得部１０２及びコミュニティグループ参加制御部１００からの各種処理要求に応じて、電子チケット情報取得処理、ユーザ状況情報獲得処理、コミュニティグループ入会処理及びコミュニティグループ退会処理の実行に必要な各部を制御する。
【００４７】
携帯無線通信部１１１は、ネットワーク４０に設置される無線基地局（図示せず）と無線接続する携帯通信機能を有し、制御部１１０の制御により通話要求やデータ通信要求を無線基地局に送信する携帯通信手順、呼接続後の通話やデータ通信に応じた携帯通信手順を実行する。また、携帯無線通信部１１１は、電子チケット情報取得処理、ユーザ状況情報獲得処理、コミュニティグループ入会処理及びコミュニティグループ退会処理を実行する際に、チケット管理装置３０及びコミュニティ管理装置２０との間で各種情報の送受信する携帯通信手順等を実行する。
【００４８】
無線通信部１１２は、制御部１１０の制御によりチケット確認装置３１との間で近距離無線接続して電子チケット情報の使用に関わる無線通信手順を実行する無線通信機能を有する。
【００４９】
表示部１１３は、液晶表示部等により構成され、制御部１１０の制御により発着信時のキー操作情報や受信データ等を表示する。キー入力部１１４は、テンキーや各種ファンクションキー等により構成され、ユーザにより入力される発着信時のキー操作信号や、電子チケット情報取得処理、ユーザ状況情報獲得処理、コミュニティグループ入会処理及びコミュニティグループ退会処理の際に入力される各種指示信号等を制御部１１０に出力する。
【００５０】
音声入力部１１５は、マイクにより構成され、通話時にユーザから入力される送話音声を音声信号に変換して制御部１１０に出力する。音声出力部１１６は、スピーカーにより構成され、通話時に制御部１１０から入力される受話音声信号を受話音声に変換して出力する。
【００５１】
次に、携帯電話端末１０がチケット管理装置３０から電子チケット情報を取得することにより、コミュニティグループに自動的に入会し、電子チケット情報の使用により、コミュニティグループから自動的に退会するまでの動作について、図３〜図２１を参照して説明する。
【００５２】
携帯電話端末１０がチケット管理装置３０から電子チケット情報を取得することにより、コミュニティグループに自動的に入会する動作について、図３〜図１１を参照して説明する。図３は携帯電話端末１０内の電子チケット情報取得時の動作を示す図、図４は携帯電話端末１０内のユーザ状況情報獲得時の動作を示す図、図５は携帯電話端末１０内のコミュニティグループ検索時の動作を示す図、図６は携帯電話端末１０内のコミュニティグループ入会時の動作を示す図、図７は携帯電話端末１０で実行されるコミュニティグループ入会処理を示すフローチャート、図８は携帯電話端末１０内に記憶されるコミュニティテーブルの一例を示す図、図９は図８のコミュニティテーブルに追加登録されたコミュニティグループ情報の一例を示す図、図１０は図９のコミュニティテーブルに追加登録されたユーザ状況情報の一例を示す図、図１１は携帯電話端末１０におけるコミュニティグループ入会時の表示例を示す図である。
【００５３】
まず、携帯電話端末１０内の電子チケット情報取得時の動作について図３を参照して説明する。
【００５４】
この電子チケット情報取得動作前に、携帯電話端末１０内のユーザ状況情報記憶部１０１には、図８に示すコミュニティテーブル８００が記憶されており、ユーザ状況情報としてコミュニティグループ名「ＸＸＸの噂（ＸＸＸ：歌手名）」と、ユーザ状況情報「手動」が記憶済みであるものとする。コミュニティテーブル８００は、携帯電話端末１０のユーザが入会しているコミュニティグループを記憶するテーブルであり、コミュニティグループを識別するコミュニティ名と、そのコミュニティグループの入会のトリガーとなったユーザ状況情報から構成される。ユーザ状況情報が「手動」とは、入会のトリガーとなったユーザ状況情報がなく、ユーザの判断により入会したことを示す。
【００５５】
図３において、電子チケット情報管理部１２１は、制御部１１０、携帯無線通信部１１１及びネットワーク４０を介してチケット管理装置３０と通信を行って、電子チケット情報を取得する（イベントＥ１）。次いで、電子チケット情報管理部１２１は、制御部１１０を介して取得した電子チケット情報を電子チケット記憶部１２０に記憶する（イベントＥ２）。
【００５６】
なお、電子チケット情報の取得手順等は、チケット管理装置３０により提供される電子チケットサービスに依存し、その動作を特に限定するものではない。
【００５７】
次に、携帯電話端末１０内のユーザ状況情報獲得時の動作について図４を参照して説明する。
【００５８】
図４において、ユーザ状況情報獲得部１０２は、電子チケット情報管理部１２１が新規に電子チケット情報を取得すると、電子チケット情報記憶部１２０に記憶された電子チケット情報の一部又は全てを、制御部１１０を介して獲得し（イベントＥ３）、その獲得した電子チケット情報の一部又は全てを、ユーザ状況情報として制御部１１０を介してユーザ状況情報記憶部１０１に記憶する（イベントＥ４）。
【００５９】
ここでは、例えば、電子チケット情報の一部である公演名「ＸＸＸコンサート２００５」をユーザ状況情報として獲得して記憶したものとする。
【００６０】
なお、ユーザ状況情報獲得部１０２における「新規電子チケット情報取得」の判断は、電子チケット情報管理部１２１から通知されるようにしても良いし、ユーザ状況情報獲得部１０２が電子チケット情報記憶部１２０をポーリングして判断するようにしてもよい。
【００６１】
また、ユーザ状況情報として獲得する電子チケット情報は、公演名、公演日、会場、席種、出演者、ジャンルや、公演のホームページのＵＲＬ等、電子チケットサービスで用いられるチケット識別子や、予め登録しているキーワードや、これらの組み合わせ等、電子チケット情報と共に獲得できる情報であれば何でも良い。
【００６２】
次に、携帯電話端末１０内のコミュニティグループ検索時の動作について図５及び図７に示すフローチャートを参照して説明する。
【００６３】
図５において、コミュニティグループ参加制御部１００は、ユーザ状況情報獲得部１０２がユーザ状況情報を獲得すると（ステップＳ１：ＹＥＳ）、ユーザ状況情報記憶部１０１に記憶されたユーザ状況情報を、制御部１１０を介して読み出し（イベントＥ５）（ステップＳ２）、読み出したユーザ状況情報からキーワードを抽出する（ステップＳ３）。
【００６４】
ここでは、例えば、ユーザ状況情報「ＸＸＸコンサート２００５」から、キーワード「ＸＸＸ」、「コンサート」、「２００５」が抽出されるものとする。
【００６５】
なお、コミュニティグループ参加制御部１００における「ユーザ状況情報獲得」の判断は、ユーザ状況情報獲得部１０２から通知されるようにしても良いし、コミュニティグループ参加制御部１００がユーザ状況情報記憶部１０１をポーリングして判断するようにしても良い。
【００６６】
また、コミュニティグループ参加制御部１００におけるキーワードの抽出は、公知のキーワード抽出方法等を用いればよく、その抽出方法を特に限定するものではない。
【００６７】
また、ユーザ状況情報にホームページのＵＲＬや、チケット識別子が含まれる場合、携帯無線通信部１１１を介してインターネットにアクセスし、ホームページや電子チケットサービスのサーバ等から情報を取得し、この情報からキーワードを抽出するようにしても良い。
【００６８】
次いで、コミュニティグループ参加制御部１００は、制御部１１０、携帯無線通信部１１１及びネットワーク４０を介してコミュニティ管理装置２０と通信を行い、抽出したキーワードに関係するコミュニティグループの検索を行う（イベントＥ６）（ステップＳ４）。コミュニティグループ参加制御部１００は、キーワードが複数ある場合は、キーワードのＡＮＤ条件、ＯＲ条件や、それらの組み合わせでコミュニティグループの検索を行うものとする。ここでは、上記キーワード「ＸＸＸ」、「コンサート」、「２００５」から、コミュニティグループとして「ＸＸＸのコンサート情報」と「ＸＸＸの噂」という２つのコミュニティグループが検索されたとする。この場合、各キーワードのヒット率は、前者が６７％、後者が３３％となる。
【００６９】
なお、コミュニティグループの検索処理は、コミュニティ管理装置２０により提供されるコミュニティサービスに依存して行われ、その検索方法を特に限定するものではない。また、コミュニティグループの検索の結果、各コミュニティグループのキーワードのヒット率、各コミュニティグループの規模、各コミュニティグループの活性度や、各コミュニティグループの優先度情報等、ユーザがコミュニティグループを選択するときに手助けとなる情報を併せて取得するようにしても良い。
【００７０】
次いで、コミュニティグループ参加制御部１００は、キーワードにヒットしたコミュニティグループが検索されたかを判断し（ステップＳ５）、検索された場合（ステップＳ５：ＹＥＳ）、ユーザ状況情報記憶部１０１に記憶されている図８のコミュニティテーブル８００を検索し（ステップＳ６）、ヒットしたコミュニティグループのエントリが存在するか否か、又は、新規のコミュニティグループであるかを判断する（ステップＳ７）。
【００７１】
ここでは、例えば、既に「ＸＸＸの噂」が手動により登録済みであるため、検索した「ＸＸＸのコンサート情報」は新規であると判断される。
【００７２】
コミュニティグループ参加制御部１００は、検索したものが新規のコミュニティグループであると判断すると（ステップＳ７：ＹＥＳ）、そのコミュニティグループ名「ＸＸＸのコンサート情報」とユーザ状況情報「ＸＸＸコンサート２００５」を、制御部１１０を介して表示部１１３に送信し、表示部１１３に検索結果を表示するように指示する（イベントＥ７）（ステップＳ８）。
【００７３】
ここでは、例えば、「ＸＸＸのコンサート情報」が新規であるため、「ＸＸＸのコンサート情報」と、対応するユーザ状況情報「ＸＸＸコンサート２００５」を表示部１１３に表示するように指示する。表示部１１３では、図１１に示すように、指示に応じた検索結果と、コミュニティグループの入会に関する指示ボタン（決定、キャンセル）が表示される。
【００７４】
なお、検索結果を表示する際には、各コミュニティグループのヒット率、各コミュニティグループの規模、各コミュニティグループの活性度や、各コミュニティグループの優先度情報等、ユーザがコミュニティグループを選択するときに手助けとなる情報を併せて表示させるようにしても良い。
【００７５】
また、コミュニティグループ参加制御部１００は、キーワードにヒットしたコミュニティグループが検索されなかった場合（ステップＳ５：ＮＯ）、本処理を終了する。
【００７６】
次に、携帯電話端末１０内のコミュニティグループ入会時の動作について図６及び図７に示すフローチャートを参照して説明する。
【００７７】
上記検索結果を表示部１１３に表示した後、キー入力部１１４は、コミュニティグループの入会を要求するために予め定められた１つ以上のキーが押下されると、選択されたコミュニティグループへの入会を、制御部１１０を介してコミュニティグループ参加制御部１００に要求する（イベントＥ８）。ここでは、例えば、「ＸＸＸのコンサード情報」への入会が要求される。
【００７８】
なお、コミュニティグループの入会要求は、コミュニティグループの入会を要求するために予め定められた音声が音声入力部１１５に入力された場合や、コミュニティグループの入会を要求するために予め定められた信号を携帯無線通信部１１１や無線通信部１１２で受信した場合等、コミュニティグループの入会を要求するために予め定められた方法であれば何でも良い。
【００７９】
次いで、コミュニティグループ参加制御部１００は、上記キー押下等によりコミュニティグループへの入会要求を受信すると（ステップＳ９）、制御部１１０、携帯無線通信部１１１及びネットワーク４０を介してコミュニティ管理装置２０と通信を行い、選択されたコミュニティグループに入会する（イベントＥ９）（ステップＳ１０）。ここでは、例えば、「ＸＸＸのコンサード情報」に入会する。
【００８０】
次いで、コミュニティグループ参加制御部１００は、コミュニティグループに入会すると、入会したコミュニティグループのエントリを制御部１１０を介してユーザ状況情報記憶部１０１に記憶されているコミュニティテーブルに登録する（ステップＳ１１）。ここでは、例えば、図９に示すように、「ＸＸＸのコンサード情報」を登録する。
【００８１】
なお、登録済みのコミュニティグループに対するエントリの場合（ステップＳ７：ＮＯ）、コミュニティグループ参加制御部１００は、コミュニティテーブルのユーザ状況情報のみを追加する（ステップＳ１２）。ここでは、例えば、「ＸＸＸの噂」が登録済みのため、図１０に示すように、「ＸＸＸの噂」のエントリに、対応するユーザ状況情報「ＸＸＸコンサート２００５」を追加する。
【００８２】
また、ユーザ状況情報獲得部１０２がユーザ状況情報を獲得しない場合（ステップＳ１：ＮＯ）、コミュニティグループ参加制御部１００は、本処理を終了する。なお、図７に示すフローチャートにおいて、点線で囲むステップＳ８、Ｓ９の処理は省略しても良い。
【００８３】
次に、携帯電話端末１０が取得した電子チケット情報を使用し、コミュニティグループを退会するまでの動作について、図１２〜図２１を参照して説明する。図１２はネットワークシステム１内で携帯電話端末１０が電子チケット情報を使用する際の動作を示す図、図１３は携帯電話端末１０内の電子チケット情報使用時の動作を示す図、図１４は携帯電話端末１０内のユーザ状況情報獲得時の動作を示す図、図１５は携帯電話端末１０内のコミュニティグループ退会時の表示動作を示す図、図１６は携帯電話端末１０内のコミュニティグループ退会時の通信動作を示す図、図１７は携帯電話端末１０で実行されるコミュニティグループ退会処理を示すフローチャート、図１８は携帯電話端末１０内に記憶されるコミュニティテーブルの一例を示す図、図１９は図１８のコミュニティテーブルからコミュニティグループ情報が削除された状態を示す図、図２０は図１９のコミュニティテーブルからユーザ状況情報が削除された状態を示す図、図２１は携帯電話端末１０におけるコミュニティグループ退会時の表示例を示す図である。
【００８４】
まず、携帯電話端末１０内の電子チケット情報使用時の動作について図１２、１３を参照して説明する。
【００８５】
この電子チケット情報の使用動作前に、携帯電話端末１０内の電子チケット情報記憶部１２０には、上記電子チケット情報取得時に取得した「ＸＸＸコンサート２００５（ＸＸＸ：歌手名）」に関する電子チケット情報が記憶されており、ユーザ状況情報記憶部１０１に記憶されている図１８に示すコミュニティテーブル８００には、コミュニティグループ名「ＸＸＸの噂」及び「ＸＸＸのコンサート情報」と、ユーザ状況情報「手動、ＸＸＸコンサート２００５」及び「ＸＸＸコンサート２００５」が記憶済みであるものとする。
【００８６】
図１２において、携帯電話端末１０のユーザは、上記電子チケット情報取得時に取得した電子チケット情報を使用する為、チケット確認装置３１が設置されたコンサート会場等に移動する。図１３において、電子チケット情報管理部１２１は、制御部１１０及び無線通信部１１２を介してチケット確認装置３１と通信を行い、電子チケット情報記憶部１２０に記憶された電子チケット情報を使用する（イベントＥ２１）。この時、チケット確認装置３１は、携帯電話端末１０から電子チケット情報を受信すると、ネットワーク４０を介してチケット管理装置３０と通信を行い、受信した電子チケット情報のユーザ情報及び電子チケット情報の正当性等を認証し、認証が取れると使用許可情報等を無線通信により携帯電話端末１０に返信する。
【００８７】
次いで、電子チケット情報管理部１２１は、無線通信部１１１及び制御部１１０を介して使用許可情報等を受信すると、制御部１１０を介して使用した電子チケット情報を電子チケット情報記憶部１２０から削除する（イベントＥ２２）。
【００８８】
なお、電子チケット情報の使用は、チケット管理装置３０により提供される電子チケットサービスに依存し、その使用時の動作は何でもかまわない。
【００８９】
次に、携帯電話端末１０内のユーザ状況情報獲得時の動作について図１４を参照して説明する。
【００９０】
図１４において、ユーザ状況情報獲得部１０２は、電子チケット情報管理部１２１が電子チケット情報を使用すると、電子チケット情報記憶部１２０から削除された電子チケット情報の一部又は全て（入会時と同じ情報）を、制御部１１０を介して獲得し（イベントＥ２３）、ユーザ状況情報記憶部１０１のコミュニティテーブル８００に記憶されている、対応するユーザ状況情報を、制御部１１０を介して削除する（イベントＥ２４）。
【００９１】
ここでは、例えば、入会時と同様に、電子チケット情報の一部である公演名「ＸＸＸコンサート２００５」をユーザ状況情報として獲得して削除する。
【００９２】
なお、ユーザ状況情報獲得部１０２における「電子チケット情報を使用した」の判断は、電子チケット情報管理部１２１から通知されるようにしても良いし、ユーザ状況情報獲得部１０２が電子チケット情報記憶部１２０にポーリングしていて判断するようにしても良い。
【００９３】
次に、携帯電話端末１０内のコミュニティグループ退会時の表示動作について、図１５及び図１７に示すフローチャートを参照して説明する。
【００９４】
図１５において、コミュニティグループ参加制御部１００は、ユーザ状況情報獲得部１０２が削除するユーザ状況情報を獲得すると（ステップＳ２１：ＹＥＳ）、ユーザ状況情報記憶部１０１から削除されたユーザ状況情報を、制御部１１０を介して獲得し（イベントＥ２５）（ステップＳ２２）、削除されたユーザ状況情報に基づいて、ユーザ状況情報記憶部１０１に記憶されているコミュニティテーブル８００を検索し（ステップＳ２３）、削除されたユーザ状況情報に対応するエントリが存在するか否かを判断する（ステップＳ２４）。
【００９５】
ここでは、例えば、図１８のコミュニティテーブル８００に記憶されている「ＸＸＸコンサート２００５」から「ＸＸＸの噂」と「ＸＸＸのコンサート情報」が検索される。
【００９６】
なお、コミュニティグループ参加制御部１００における「削除するユーザ状況情報を獲得した」の判断は、ユーザ状況情報獲得部１０２から通知されるようにしても良いし、コミュニティテーブル参加制御部１００がユーザ状況情報記憶部１０１をポーリングしていて判断するようにしても良い。
【００９７】
削除されたユーザ状況情報に対応するエントリが存在する場合（ステップＳ２４：ＹＥＳ）、コミュニティグループ参加制御部１００は、そのエントリに他のユーザ状況情報が存在するか否かを判断する（ステップＳ２５）。ここでは、例えば、図１８のコミュニティテーブル８００に記憶されている「ＸＸＸの噂」のみ、他のユーザ状況情報（手動）が存在すると判断される。
【００９８】
また、他のユーザ状況情報が存在しない場合（ステップＳ２５：ＮＯ）、コミュニティグループ参加制御部１００は、そのコミュニティグループとユーザ状況情報を、制御部１１０を介して表示部１１３に送信し、表示部１１３に判断結果を表示するように指示する（イベントＥ２６）（ステップＳ２６）。ここでは、例えば、エントリ「ＸＸＸのコンサート情報」に対応する他のユーザ状況情報が存在しない為、「ＸＸＸのコンサート情報」と、対応するユーザ状況情報「ＸＸＸコンサート２００５」が、図２１に示すように表示部１１３に退会操作を促す情報とともに表示される。
【００９９】
なお、表示部１１３にユーザ状況情報を表示する際は、各コミュニティグループのキーワードのヒット率、各コミュニティグループの規模、各コミュニティグループの活性度や、各コミュニティグループの優先度情報等、ユーザがコミュニティグループを選択するとき、手助けとなる情報を併せて表示するように指示しても良い。
【０１００】
また、ユーザ状況情報獲得部１０２が削除するユーザ状況情報を獲得しない場合（ステップＳ２１：ＮＯ）、及び削除されたユーザ状況情報に対応するエントリが存在しない場合（ステップＳ２４：ＮＯ）、コミュニティグループ参加制御部１００は、本処理を終了する。
【０１０１】
次に、携帯電話端末１０内のコミュニティグループ退会時の通信動作について、図１６及び図１７に示すフローチャートを参照して説明する。
【０１０２】
図１６において、表示部１１３にユーザ状況情報を表示後、キー入力部１１４は、あるコミュニティグループの退会を要求する為に予め定められた１つ以上のキーが押下されると、選択されたコミュニティグループの退会を、制御部１１０を介してコミュニティグループ参加制御部１００に要求する（イベントＥ２７）。ここでは、例えば、図２１に示すように「ＸＸＸのコンサート情報」の退会が要求される。
【０１０３】
なお、コミュニティグループの退会の要求は、コミュニティグループの退会を要求する為に予め定められた音声が音声入力部１１５から入力された場合や、コミュニティグループの退会を要求する為に予め定められた信号を携帯無線通信部１１１や無線通信部１１２で受信した場合等、コミュニティグループの退会を要求する為に予め定められた方法であれば何でも良い。
【０１０４】
次いで、コミュニティグループ参加制御部１００は、コミュニティグループの退会要求を受信すると（イベントＥ２７）（ステップＳ２７）、制御部１１０、携帯無線通信部１１１及びネットワーク４０を介して、コミュニティ管理装置２０と通信を行い、選択されたコミュニティグループを退会する（イベントＥ２８）（ステップＳ２８）。ここでは、例えば、「ＸＸＸのコンサート情報」を退会する。
【０１０５】
なお、コミュニティグループの退会は、コミュニティ管理装置２０により提供されるコミュニティサービスに依存し、その退会要求の動作は何でもかまわない。
【０１０６】
次いで、コミュニティグループ参加制御部１００は、コミュニティグループを退会すると、退会したコミュニティグループのエントリをコミュニティテーブル８００から削除して（ステップＳ２９）、本処理を終了する。ここでは、例えば、図１８のコミュニティテーブル８００から「ＸＸＸのコンサート情報」を削除する。その結果、コミュニティテーブル８００は図１９に示すようになる。
【０１０７】
また、削除されたユーザ状況情報に対応するエントリに他のユーザ状況情報が存在する場合（ステップＳ２５：ＹＥＳ）、コミュニティグループ参加制御部１００は、そのコミュニティグループに対応するエントリのユーザ状況情報のみをコミュニティテーブル８００から削除して（ステップＳ３０）、本処理を終了する。ここでは、例えば、図１９のコミュニティテーブル８００では「ＸＸＸの噂」に他のユーザ状況情報「ＸＸＸコンサート２００５」が存在する為、「ＸＸＸの噂」のエントリに対応するユーザ状況情報「ＸＸＸコンサート２００５」のみを削除する。その結果、コミュニティテーブル８００は図２０に示すようになる。
【０１０８】
なお、図１７に示すフローチャートにおいて、点線で囲むステップＳ２６、Ｓ２７の処理は省略しても良い。
【０１０９】
以上のように、本実施の形態１のネットワークシステムでは、携帯電話端末が、電子チケットサービスから取得した電子チケット情報から獲得するユーザ状況情報が変更（追加、削除、変更）されたとき、コミュニティグループの参加（入会、退会）をコミュニティサービスを提供するコミュニティ管理装置に対して自動的に行う。
【０１１０】
したがって、携帯電話端末ユーザのコミュニティグループに対する参加期間を適切に制御することができる。
【０１１１】
また、本実施の形態１のネットワークシステムでは、携帯電話端末が、ユーザにより取得された電子チケット情報からユーザ状況情報を獲得し、このユーザ状況情報からキーワードを抽出し、このキーワードに関するコミュニティグループをコミュニティ管理装置から検索する。
【０１１２】
したがって、携帯電話端末のユーザは、本当に合ったコミュニティグループを容易に選択することができる。
【０１１３】
（実施の形態２）
図２２は、本実施の形態２に適用するネットワークシステムのシステム構成を示す図である。図２２において、ネットワークシステム２００は、携帯電話網等のネットワーク４０に接続される携帯電話端末１０，１１と、コミュニティ管理装置２０と、個人情報管理装置５０と、から構成される。なお、図中の各構成は、上記第１の実施の形態に示したネットワークシステム１の構成（図１参照）と同一の構成部分には同一符号を付している。
【０１１４】
このネットワークシステム２００では、図中の細かい破線で囲む部分は、コミュニティ管理装置２０がネットワーク４０を介して携帯電話端末１０，１１にコミュニティサービスを提供するエリアを示している。このコミュニティサービスエリアでは、携帯電話端末１０，１１は、公知のコミュニティサービスとして、ソーシャル・ネットワーク・サービス、電子掲示板サービス等を受けることができる。
【０１１５】
また、図中の荒い破線で囲む部分は、個人情報管理装置５０がネットワーク４０を介して携帯電話端末１０に電子個人情報サービスを提供するエリアを示している。この電子個人情報サービスエリアでは、携帯電話端末１０は、ユーザの個人情報（例えば、氏名、年齢、性別、住所等）に適した情報提供サービス等を受けることができる。
【０１１６】
なお、図２２のネットワークシステム２００では、２台の携帯電話機１０，１１が接続されている場合を示したが、これらの接続台数は特に限定するものではない。また、コミュニティ管理装置２０の機能は、図１に示したものと同一である為、その機能説明は省略する。
【０１１７】
個人情報管理装置５０は、電子個人情報サービスを管理する公知のサーバ装置等であり、ネットワーク４０を介して携帯電話端末１０，１１に対して電子個人情報サービスを提供する。
【０１１８】
携帯電話端末１０，１１は、ネットワーク４０を介して携帯電話端末との間で通話を行う機能と、ネットワーク４０を介してコミュニティ管理装置２０からコミュニティサービスを受ける機能と、ネットワーク４０を介して個人情報管理装置５０から電子個人情報サービスを受ける機能と、を有する。
【０１１９】
図２３は、携帯電話端末１０の概略構成を示すブロック図であり、上記図２に示した携帯電話端末１０と同一の構成部分には同一符号を付し、その構成説明を省略する。なお、携帯電話機１１も同様の構成を具備する。
【０１２０】
図２３において、携帯電話端末１０は、コミュニティグループ参加制御部１００と、ユーザ状況情報記憶部１０１と、ユーザ状況情報獲得部１０２と、制御部１１０と、携帯無線通信部１１１と、無線通信部１１２と、表示部１１３と、キー入力部１１４と、音声入力部１１５と、音声出力部１１６と、電子個人情報記憶部１５０と、電子個人情報管理部１５１と、から構成される。
【０１２１】
電子個人情報記憶部１５０は、電子個人情報管理部１５１で管理される電子個人情報を記憶する。電子個人情報管理部１５１は、携帯電話端末１０の電子個人情報を管理する。
【０１２２】
次に、携帯電話端末１０が電子個人情報を変更することにより、コミュニティグループを自動的に変更（入会／退会）する動作について、図２４〜図３７を参照して説明する。
【０１２３】
図２４は携帯電話端末１０内の電子個人情報変更時の動作を示す図、図２５は携帯電話端末１０内のユーザ状況情報獲得時の動作を示す図、図２６は携帯電話端末１０内のコミュニティグループ変更時の動作を示す図、図２７は携帯電話端末１０内のコミュニティグループ入会時の動作を示す図、図２８は携帯電話端末１０内にコミュニティグループ変更時の表示動作を示す図、図２９は携帯電話端末１０内のコミュニティグループ退会時の動作を示す図、図３０は携帯電話端末１０で実行されるコミュニティグループ変更処理の一部を示すフローチャート、図３１は図３０に続くコミュニティグループ変更処理の一部を示すフローチャート、図３２は携帯電話端末１０内に記憶されるコミュニティテーブルの一例を示す図、図３３は図３２のコミュニティテーブルに追加登録されたコミュニティグループ情報の一例を示す図、図３４は図３３のコミュニティテーブルに追加登録されたユーザ状況情報の一例を示す図、図３５は図３４のコミュニティテーブルからコミュニティグループ情報を削除した状態を示す図、図３６は図３５のコミュニティテーブルからユーザ状況情報を削除した状態を示す図、図３７は携帯電話端末１０におけるコミュニティグループ変更時の表示例を示す図、図３８は携帯電話端末１０におけるコミュニティグループ退会時の表示例を示す図である。
【０１２４】
まず、携帯電話端末１０が電子個人情報を変更する動作について図２４を参照して説明する。図２４は携帯電話端末１０内の電子個人情報変更時の動作を示す図である。
【０１２５】
図２４において、電子個人情報管理部１５１は、制御部１１０、携帯無線通信部１１１及びネットワーク４０を介して個人情報管理装置５０と通信を行い、電子個人情報の変更を行う（イベントＥ４１）。電子個人情報管理部１５１は、制御部１１０を介して、変更した電子個人情報を電子個人情報記憶部１５０に記憶する（イベントＥ４２）。
【０１２６】
次に、携帯電話端末１０内のユーザ状況情報獲得時の動作について図２５を参照して説明する。図２５は携帯電話端末１０内のユーザ状況情報獲得時の動作を示す図である。
【０１２７】
図２５において、ユーザ状況情報獲得部１０２は、電子個人情報管理部１５１が電子個人情報を変更すると、電子個人情報記憶部１５０に記憶された変更された電子個人情報の一部又は全てを、制御部１１０を介して獲得し（イベントＥ４３）、ユーザ状況情報として制御部１１０を介してユーザ状況情報記憶部１０１に記憶する（イベントＥ４４）。
【０１２８】
ここでは、例えば、電子個人情報の一部である住所「横浜市」（変更前）と、「横須賀市」（変更後）をユーザ状況情報として獲得して、記憶するものとする。
【０１２９】
なお、ユーザ状況情報獲得部１０２の「電子個人情報を変更した」の判断は、電子個人情報管理部１５１から通知されるようにしても良いし、ユーザ状況情報獲得部１０２が電子個人情報記憶部１５０をポーリングしていて判断するようにしても良い。
【０１３０】
また、ユーザ状況情報として獲得する電子個人情報は、住所、氏名、性別、国籍、本籍、資格、有効期限、所属、個人識別子や、これらの組み合わせ等、電子個人情報であれば何でも良い。
【０１３１】
次に、携帯電話端末１０内のコミュニティグループ変更動作について、図２６及び図３０を参照して説明する。図２６は携帯電話端末１０内のコミュニティグループ変更時の動作を示す図、図３０は携帯電話端末１０で実行されるコミュニティグループ変更処理を示すフローチャートである。
【０１３２】
図２６において、コミュニティ参加制御部１００は、ユーザ状況情報獲得部１０２が変更されたユーザ状況情報を獲得すると（ステップＳ４１：ＹＥＳ）、制御部１１０を介してユーザ状況情報記憶部１０１から変更後のユーザ状況情報を読み出し（イベントＥ４５）（ステップＳ４２）、読み出した変更後のユーザ状況情報からキーワードを抽出する（ステップＳ４３）。このとき、ユーザ状況情報の種類により、予め定められたキーワードを抽出するようにしても良い。ここでは、例えば、ユーザ状況情報「横須賀市」と、ユーザ状況情報の種類「住所」と、からキーワード「横須賀市」が抽出され、更に、予めユーザによって設定された「病院」が追加されるものとする。
【０１３３】
なお、コミュニティグループ参加制御部１００の「変更されたユーザ状況情報を獲得した」の判断は、ユーザ状況情報獲得部１０２から通知されるようにしても良いし、コミュニティグループ参加制御部１００がユーザ状況情報記憶部１０１をポーリングしていて判断するようにしても良い。また、キーワードの抽出は、公知のキーワード抽出方法等でもよく、その抽出方法はどのような手法を用いても良い。
【０１３４】
また、ユーザ状況情報にホームページのＵＲＬ（Uniform Resource Locator）や個人識別子が含まれる場合、携帯無線通信部１１１を介してインターネットにアクセスし、ホームページや電子個人情報サービスのサーバ等から情報を取得し、その情報からキーワードを抽出するようにしても良い。
【０１３５】
また、追加される情報は、ユーザに合ったコミュニティグループを探すことができるものであれば何でも良く、ユーザが予め登録しても良いし、電子個人情報サービスに依存するようにしても良いし、現在ユーザが参加しているコミュニティグループから抽出するようにしても良い。
【０１３６】
次いで、コミュニティグループ参加制御部１００は、制御部１１０、携帯無線通信部１１１及びネットワーク４０を介してコミュニティ管理装置２０と通信を行い、抽出したキーワードに関するコミュニティグループを検索する（イベントＥ４６）（ステップＳ４４）。キーワードが複数ある場合は、キーワードのＡＮＤ条件、ＯＲ条件や、それらの組み合わせでコミュニティグループの検索を行うものとする。ここでは、上記キーワード「横須賀市」と「病院」からコミュニティグループ「横須賀市の病院」と「全国のお勧め病院」が検索されたものとする。それぞれのキーワードのヒット率は「１００％」と「５０％」となる。
【０１３７】
なお、コミュニティグループの検索は、コミュニティ管理装置２０により提供されるコミュニティサービスに依存し、その検索動作はどのような動作でも良い。また、コミュニティグループの検索結果は、各コミュニティグループのキーワードのヒット率、各コミュニティグループの規模、各コミュニティグループの活性度や、各コミュニティグループの優先度情報等、ユーザがコミュニティグループを選択するとき、手助けとなる情報を併せて取得するようにしても良い。
【０１３８】
次いで、コミュニティグループ参加制御部１００は、キーワードにヒットしたコミュニティグループが検索されたか否かを判断し（ステップＳ４５）、検索されると（ステップＳ４５：ＹＥＳ）、ユーザ状況情報記憶部１０１に記憶されている図３２に示すコミュニティテーブル９００を検索し（ステップＳ４６）、ヒットしたコミュニティグループのエントリが存在するか（新規のコミュニティグループであるか）を判断する（ステップＳ４７）。
【０１３９】
ここでは、例えば、図３２のコミュニティテーブル９００には既に「横浜市の病院」と「全国のお勧め病院」が登録されているものとし、ヒットした「横須賀市の病院」と「全国のお勧め病院」のうち、「横須賀市の病院」のみが新規であると判断される。
【０１４０】
新規のコミュニティグループであると判断された場合（ステップＳ４７：ＹＥＳ）、コミュニティグループ参加制御部１００は、そのコミュニティグループとユーザ状況情報を、制御部１１０を介して表示部１１３に送信し、表示部１１３に判断結果を表示するように指示する（イベントＥ４７）（ステップＳ４８）。ここでは、例えば、「横須賀市の病院」と、対応するユーザ状況情報「横須賀市」（変更後）を、図３７に示すように表示部１１３に表示するように指示する。
【０１４１】
なお、表示部１１３に判断結果を表示する際は、各コミュニティグループのキーワードのヒット率、各コミュニティグループの規模、各コミュニティグループの活性度や、各コミュニティグループの優先度情報等、ユーザがコミュニティグループを選択するとき、手助けとなる情報を併せて取得するようにしても良い。
【０１４２】
また、コミュニティ参加制御部１００は、ユーザ状況情報獲得部１０２が変更されたユーザ状況情報を獲得しない場合（ステップＳ４１：ＮＯ）、又は、キーワードにヒットしたコミュニティグループが検索されない場合（ステップＳ４５：ＮＯ）、本処理を終了する。
【０１４３】
次に、携帯電話端末１０内のコミュニティグループ入会時の動作について、図２７及び図３０のフローチャートを参照して説明する。図２７は携帯電話端末１０内のコミュニティグループ入会時の動作を示す図である。
【０１４４】
上記判断結果を表示部１１３に表示した後、キー入力部１１４は、あるコミュニティグループへの入会を要求する為に予め定められた１つ以上のキーが押下されたとき、選択されたコミュニティへの入会を、制御部１１０を介してコミュニティグループ参加制御部１００に要求する（イベントＥ４８）。ここでは、例えば、「横須賀市の病院」の入会が湯要求される。
【０１４５】
なお、コミュニティグループへの入会要求は、コミュニティグループへの入会を要求するために予め定められた音声が音声入力部１１５から入力された場合や、コミュニティグループへの入会を要求するために予め定められた信号を携帯無線通信部１１１や無線通信部１１２で受信した場合等、あるコミュニティグループへの入会を要求するために予め定められた方法であれば何でも良い。
【０１４６】
次いで、コミュニティグループ参加制御部１００は、コミュニティグループ入会要求を受信すると（ステップＳ４９）、制御部１１０、携帯無線通信部１１１及びネットワーク４０を介してコミュニティ管理装置２０と通信を行い、選択されたコミュニティに入会する（イベントＥ４９）（ステップＳ５０）。
【０１４７】
なお、コミュニティグループの入会は、コミュニティ管理装置２０により提供されるコミュニティサービスに依存し、その入会方法はどのような手順でも良い。
【０１４８】
次いで、コミュニティグループ参加制御部１００は、コミュニティグループに入会すると、入会したコミュニティグループのエントリをコミュニティテーブル９００に登録する（ステップＳ５１）。ここでは、例えば、「横須賀市の病院」のエントリを、図３３に示すようにコミュニティテーブル９００に登録する。
【０１４９】
また、ヒットしたコミュニティグループのエントリが新規のコミュニティグループでないと判断した場合（ステップＳ４７：ＮＯ）、コミュニティグループ参加制御部１００は、コミュニティテーブル９００の対応するエントリにユーザ状況情報のみを追加する（ステップＳ５２）。ここでは、例えば、「全国のお勧め病院」が新規でないため、「全国のお勧め病院」に対するエントリに、対応するユーザ状況情報「横須賀市」を追加する。その結果、コミュニティテーブル９００は図３４に示すようになる。
【０１５０】
次に、携帯電話端末１０内のコミュニティグループ変更時の表示動作について、図２８及び図３１のフローチャートを参照して説明する。図２８は携帯電話端末１０内のコミュニティグループ変更時の表示動作を示す図である。
【０１５１】
図３１において、コミュニティグループ参加制御部１００は、制御部１１０を介してユーザ状況情報記憶部１０１から読み出したコミュニティグループ変更前のユーザ状況情報から、ユーザ状況情報記憶部１０１に記憶されているコミュニティテーブル９００を検索し（ステップＳ５３）、コミュニティグループ変更前のユーザ状況情報に対応するエントリが存在するか否かを判断する（ステップＳ５４）。ここでは、例えば、図３４のコミュニティテーブル９００により、変更前のユーザ状況情報「横浜市」に対応するエントリ「横浜市の病院」と「全国のお勧め病院」が検索される。
【０１５２】
次いで、エントリが存在する場合（ステップＳ５４：ＹＥＳ）、コミュニティグループ参加制御部１００は、そのエントリに他のユーザ状況情報が存在するか否かを判断する（ステップＳ５５）。ここでは、例えば、図３４のコミュニティテーブル９００により、エントリ「全国のお勧め病院」のみが他のユーザ状況情報「横須賀市」が存在すると判断できる。
【０１５３】
また、他のユーザ状況情報が存在しない場合（ステップＳ５５：ＮＯ）、コミュニティグループ参加制御部１００は、そのコミュニティグループとユーザ状況情報を、制御部１１０を介して表示部１１３に送信し、表示部１１３に判断結果を表示するように指示する（イベントＥ５０）（ステップＳ５６）。ここでは、例えば、エントリ「横浜市の病院」に対応する他のユーザ状況情報が存在しない為、「横浜市の病院」と、対応するユーザ状況情報「横浜市」（変更前）を、図３８に示すように表示部１１３に表示するように指示する。
【０１５４】
なお、表示部１１３に判断結果を表示する際は、各コミュニティグループのキーワードのヒット率、各コミュニティグループの規模、各コミュニティグループの活性度や、各コミュニティグループの優先度情報等、ユーザがコミュニティグループを選択するとき、手助けとなる情報を併せて取得するようにしても良い。
【０１５５】
また、コミュニティグループ参加制御部１００は、コミュニティグループ変更前のユーザ状況情報に対応するエントリが存在しない場合（ステップＳ５４：ＮＯ）、本処理を終了する。
【０１５６】
次に、携帯電話端末１０内のコミュニティグループ退会時の動作について、図２９及び図３１のフローチャートを参照して説明する。図２９は携帯電話端末１０内のコミュニティグループ退会時の動作を示す図である。
【０１５７】
図２９において、表示部１１３に判断結果を表示後、キー入力部１１４は、あるコミュニティテーブルの退会を要求するために予め定められた１つ以上のキーを押下されたとき、選択されたコミュニティグループの退会を、制御部１１０を介してコミュニティグループ参加制御部１００に要求する（イベントＥ５１）。ここでは、例えば、図３８に表示部１１３に表示した「横浜市の病院」の退会が要求される。
【０１５８】
なお、コミュニティグループへの退会要求は、コミュニティグループへの退会を要求するために予め定められた音声が音声入力部１１５から入力された場合や、コミュニティグループへの退会を要求するために予め定められた信号を携帯無線通信部１１１や無線通信部１１２で受信した場合等、あるコミュニティグループへの退会を要求するために予め定められた方法であれば何でも良い。
【０１５９】
次いで、コミュニティグループ参加制御部１００は、コミュニティグループの退会要求を受信すると（ステップＳ５７）、制御部１１０、携帯無線通信部１１１及びネットワーク４０を介してコミュニティ管理装置２０と通信を行い、選択されたコミュニティを退会する（イベントＥ５２）（ステップＳ５８）。ここでは、例えば、図３８に表示部１１３に表示した「横浜市の病院」を退会する。
【０１６０】
なお、コミュニティグループの退会は、コミュニティ管理装置２０により提供されるコミュニティサービスに依存し、その退会方法はどのような手順でも良い。
【０１６１】
次いで、コミュニティグループ参加制御部１００は、コミュニティグループを退会すると、退会したコミュニティグループのエントリを、制御部１１０を介してユーザ状況情報記憶部１０１に記憶されているコミュニティテーブル９００から削除して（ステップＳ５９）、本処理を終了する。ここでは、例えば、図３４のコミュニティテーブル９００から「横浜市の病院」のエントリを削除し、その結果、図３５に示すコミュニティテーブル９００となる。
【０１６２】
また、コミュニティグループ変更前のユーザ状況情報に対応する他のユーザ状況情報が存在する場合（ステップＳ５５：ＹＥＳ）、コミュニティグループ参加制御部１００は、コミュニティテーブル９００の対応するエントリのユーザ状況情報のみを削除して（ステップＳ６０）、本処理を終了する。ここでは、例えば、図３５のコミュニティテーブル９００により、「全国のお勧め病院」に他のユーザ状況情報が存在する為、そのエントリ「全国のお勧め病院」に対応するユーザ状況情報「横浜市」のみを削除し、その結果、図３６に示すコミュニティテーブル９００となる。
【０１６３】
なお、図３０及び図３１において、点線で囲むステップＳ４８、Ｓ４９、Ｓ５６、Ｓ５７の各処理は、省略するようにしても良い。
【０１６４】
以上のように、本実施の形態２のネットワークシステムでは、携帯電話端末が、電子個人情報が変更されると、変更後の電子個人情報の一部又は全てをユーザ状況情報として獲得し、そのユーザ状況情報からキーワードを抽出してコミュニティ管理装置から対応する新規のコミュニティグループを検索して入会処理を行うとともに、入会後のエントリとユーザ状況情報をコミュニティテーブルに自動的に登録する。
【０１６５】
さらに、携帯電話端末は、コミュニティ入会後のエントリに対応する他のユーザ状況情報をコミュニティテーブルから検索して、そのユーザ状況情報に対応するコミュニティグループの退会処理を行うとともに、その退会処理したエントリをコミュニティテーブルから自動的に削除する。
【０１６６】
したがって、電子個人情報の変更に伴ってコミュニティテーブルに記憶されているユーザ状況情報が変更（追加、削除、変更）されたとき、コミュニティグループの参加（入会、退会）を制御して、ユーザのコミュニティグループの参加期間を適切に制御することができる。
【０１６７】
また、電子個人情報の一部又は全てをユーザ状況情報として獲得して、そのユーザ状況情報からキーワードを抽出し、このキーワードに関するコミュニティグループをコミュニティ管理装置から検索する。
【０１６８】
したがって、携帯電話端末のユーザは、本当に合ったコミュニティグループを容易に選択することができる。
【産業上の利用可能性】
【０１６９】
本発明は、ユーザに本当に合ったコミュニティグループを探すことができ、かつ、コミュニティグループの参加期間を適切に制御することができる携帯端末装置、コミュニティ形成方法及び記録媒体等に有用である。
【図面の簡単な説明】
【０１７０】
【図１】本発明の実施の形態１に係るネットワークシステムのシステム構成を示す図
【図２】本実施の形態１に係る携帯電話端末の概略構成を示すブロック図
【図３】本実施の形態１に係るは携帯電話端末内の電子チケット情報取得時の動作を示す図
【図４】本実施の形態１に係る携帯電話端末内のユーザ状況情報獲得時の動作を示す図
【図５】本実施の形態１に係る携帯電話端末内のコミュニティグループ検索時の動作を示す図
【図６】本実施の形態１に係る携帯電話端末内のコミュニティグループ入会時の動作を示す図
【図７】本実施の形態１に係る携帯電話端末で実行されるコミュニティグループ入会処理を示すフローチャート
【図８】本実施の形態１に係る携帯電話端末内に記憶されるコミュニティテーブルの一例を示す図
【図９】本実施の形態１に係る図８のコミュニティテーブルに追加登録されたコミュニティグループ情報の一例を示す図
【図１０】本実施の形態１に係る図９のコミュニティテーブルに追加登録されたユーザ状況情報の一例を示す図
【図１１】本実施の形態１に係る携帯電話端末におけるコミュニティグループ入会時の表示例を示す図
【図１２】本実施の形態１に係るネットワークシステム内で携帯電話端末が電子チケット情報を使用する際の動作を示す図
【図１３】本実施の形態１に係る携帯電話端末内の電子チケット情報使用時の動作を示す図
【図１４】本実施の形態１に係る携帯電話端末内のユーザ状況情報獲得時の動作を示す図
【図１５】本実施の形態１に係る携帯電話端末内のコミュニティグループ退会時の表示動作を示す図
【図１６】本実施の形態１に係る携帯電話端末内のコミュニティグループ退会時の通信動作を示す図
【図１７】本実施の形態１に係る携帯電話端末で実行されるコミュニティグループ退会処理を示すフローチャート
【図１８】本実施の形態１に係る携帯電話端末内に記憶されるコミュニティテーブルの一例を示す図
【図１９】本実施の形態１に係る図１８のコミュニティテーブルからコミュニティグループ情報が削除された状態を示す図
【図２０】本実施の形態１に係る図１９のコミュニティテーブルからユーザ状況情報が削除された状態を示す図
【図２１】本実施の形態１に係る携帯電話端末におけるコミュニティグループ退会時の表示例を示す図
【図２２】本発明の実施の形態２に係るネットワークシステムのシステム構成を示す図
【図２３】本実施の形態２に係る携帯電話端末の概略構成を示すブロック図
【図２４】本実施の形態２に係る携帯電話端末内の電子個人情報変更時の動作を示す図
【図２５】本実施の形態２に係る携帯電話端末内のユーザ状況情報獲得時の動作を示す図
【図２６】本実施の形態２に係る携帯電話端末内のコミュニティグループ変更時の動作を示す図
【図２７】本実施の形態２に係る携帯電話端末内のコミュニティグループ入会時の動作を示す図
【図２８】本実施の形態２に係る携帯電話端末内にコミュニティグループ変更時の表示動作を示す図
【図２９】本実施の形態２に係る携帯電話端末内のコミュニティグループ退会時の動作を示す図
【図３０】本実施の形態２に係る携帯電話端末で実行されるコミュニティグループ変更処理の一部を示すフローチャート
【図３１】本実施の形態２に係る図３０に続くコミュニティグループ変更処理の一部を示すフローチャート
【図３２】本実施の形態２に係る携帯電話端末内に記憶されるコミュニティテーブルの一例を示す図
【図３３】本実施の形態２に係る図３２のコミュニティテーブルに追加登録されたコミュニティグループ情報の一例を示す図
【図３４】本実施の形態２に係る図３３のコミュニティテーブルに追加登録されたユーザ状況情報の一例を示す図
【図３５】本実施の形態２に係る図３４のコミュニティテーブルからコミュニティグループ情報を削除した状態を示す図
【図３６】本実施の形態２に係る図３５のコミュニティテーブルからユーザ状況情報を削除した状態を示す図
【図３７】本実施の形態２に係る携帯電話端末におけるコミュニティグループ変更時の表示例を示す図
【図３８】本実施の形態２に係る携帯電話端末におけるコミュニティグループ退会時の表示例を示す図
【符号の説明】
【０１７１】
１、２００  ネットワークシステム
１０、１１  携帯電話端末
２０  コミュニティ管理装置
３０  チケット管理装置
３１  チケット確認装置
４０  ネットワーク
５０  個人情報管理装置
１００  コミュニティグループ参加制御部
１０１  ユーザ状況情報記憶部
１０２  ユーザ状況情報獲得部
１１０  制御部
１１１  携帯無線通信部
１１２  無線通信部
１１３  表示部
１１４  キー入力部
１１５  音声入力部
１１６  音声出力部
１２０  電子チケット情報記憶部
１２１  電子チケット情報管理部
１５０  電子個人情報記憶部
１５１  電子個人情報管理部
８００、９００  コミュニティテーブル
【図１】
2007072529.tif 000003
【図２】
2007072529.tif 000004
【図３】
2007072529.tif 000005
【図４】
2007072529.tif 000006
【図５】
2007072529.tif 000007
【図６】
2007072529.tif 000008
【図７】
2007072529.tif 000009
【図８】
2007072529.tif 000010
【図９】
2007072529.tif 000011
【図１０】
2007072529.tif 000012
【図１１】
2007072529.tif 000013
【図１２】
2007072529.tif 000014
【図１３】
2007072529.tif 000015
【図１４】
2007072529.tif 000016
【図１５】
2007072529.tif 000017
【図１６】
2007072529.tif 000018
【図１７】
2007072529.tif 000019
【図１８】
2007072529.tif 000020
【図１９】
2007072529.tif 000021
【図２０】
2007072529.tif 000022
【図２１】
2007072529.tif 000023
【図２２】
2007072529.tif 000024
【図２３】
2007072529.tif 000025
【図２４】
2007072529.tif 000026
【図２５】
2007072529.tif 000027
【図２６】
2007072529.tif 000028
【図２７】
2007072529.tif 000029
【図２８】
2007072529.tif 000030
【図２９】
2007072529.tif 000031
【図３０】
2007072529.tif 000032
【図３１】
2007072529.tif 000033
【図３２】
2007072529.tif 000034
【図３３】
2007072529.tif 000035
【図３４】
2007072529.tif 000036
【図３５】
2007072529.tif 000037
【図３６】
2007072529.tif 000038
【図３７】
2007072529.tif 000039
【図３８】
2007072529.tif 000040